(57)【要約】      （修正有）【課題】作業性に優れた光ファイバケーブルを提供する。【解決手段】４本の光ファイバ素線８が並列配置され、各々の４本の光ファイバ素線８の先端部が樹脂９により一体化されることによりテープ状となっている。このように先端部が一体化された４本の光ファイバ素線８を先端一体型素線１０と呼称する。全ての光ファイバ素線８が先端一体型素線１０なっており、スロット６のそれぞれには５本の先端一体型素線１０がテンションメンバ５側からスロットロッド２の外周面側に向けて積層された状態収容されている。し、スロット６に収容する。【選択図】図１
2005345909.tif 000002
【特許請求の範囲】
【請求項１】
並列配置され、少なくとも一部が一体化された複数本の光ファイバ素線からなる一体型素線と、
前記一体型素線を収容するケーブル本体と
を有することを特徴とする光ファイバケーブル。
【請求項２】
前記ケーブル本体の側面を被覆する不織布を有することを特徴とする請求項１に記載の光ファイバケーブル。
【請求項３】
前記不織布を被覆するケーブルシースを有することを特徴とする請求項２に記載の光ファイバケーブル。
【請求項４】
前記ケーブル本体の端面及び前記ケーブルシースの少なくとも一部を保護する保護管を有することを特徴とする請求項３に記載の光ファイバケーブル。
【請求項５】
前記ケーブル本体の側面を被覆する不織布と、
前記不織布の前記ケーブル本体の端面側の一部が露出するように該不織布の他の部分を被覆するケーブルシースと
を有することを特徴とする請求項１に記載の光ファイバケーブル。
【請求項６】
前記ケーブル本体の端面、前記不織布の露出された部分及び前記シース部の少なくとも一部を保護する保護管を有することを特徴とする請求項５に記載の光ファイバケーブル。
【発明の詳細な説明】
【技術分野】
【０００１】
本発明は、光ファイバケーブル、特に作業性に優れた光ファイバケーブルに関する。
【背景技術】
【０００２】
通信ネットワークにおいて幹線系から家庭やオフィスまでを結ぶアクセス系の光ファイバケーブルには様々な種類が存在するが、その一例としては、複数の光ファイバ素線を収容したものが挙げられる（例えば、特許文献１参照）。
【０００３】
また、上記のような光ファイバケーブルには直径が０．２５ｍｍの光ファイバ素線やオーバーコート層を除去することにより直径が０．２５ｍｍの光ファイバ素線にすることが可能な直径０．５ｍｍの光ファイバ心線が用いられる場合がある。
【特許文献１】特開２００２−２０２４４５号公報
【発明の開示】
【発明が解決しようとする課題】
【０００４】
しかしながら、敷設現場において上記の光ファイバケーブルと他の光ファイバケーブル等とを接続する際に光ファイバ素線または光ファイバ心線１本毎に接続作業を行うことには煩雑さが伴い、作業時間等の増加を招き、作業者に多大な負担を強いることとなる。
【０００５】
また、複数本の光ファイバ素線または光ファイバ心線をテープ化し、一括して接続作業を行うことにより上記の負担を軽減することも可能であるが、敷設現場において光ファイバ素線等をテープ化することにもまた煩雑さが伴い、さらにテープ化すべき光ファイバ素線等を誤認してしまう場合もある。
【０００６】
このような事情に鑑み本発明は、作業性に優れた光ファイバケーブルを提供することを目的とする。
【課題を解決するための手段】
【０００７】
請求項１に記載の本発明は、並列配置され、少なくとも一部が一体化された複数本の光ファイバ素線からなる一体型素線と、一体型素線を収容するケーブル本体とを有することを要旨とする。
【０００８】
請求項２に記載の本発明は、請求項１に記載の発明において、ケーブル本体の側面を被覆する不織布を有することを要旨とする。
【０００９】
請求項３に記載の本発明は、請求項２に記載の発明において、不織布を被覆するケーブルシースを有することを要旨とする。
【００１０】
請求項４に記載の本発明は、請求項３に記載の発明において、ケーブル本体の端面及びケーブルシースの少なくとも一部を保護する保護管を有することを要旨とする。
【００１１】
請求項５に記載の本発明は、請求項１に記載の発明において、ケーブル本体の側面を被覆する不織布と、不織布のケーブル本体の端面側の一部が露出するように不織布の他の部分を被覆するケーブルシースとを有することを要旨とする。
【００１２】
請求項６に記載の本発明は、請求項５に記載の発明において、ケーブル本体の端面、不織布の露出された部分及びシース部の少なくとも一部を保護する保護管を有することを要旨とする。
【発明の効果】
【００１３】
本発明の光ファイバケーブルが有する複数本の光ファイバ素線は、予め並列配置されているとともに少なくとも一部が一体化されている。したがって作業性に優れた光ファイバケーブルを提供することが可能となる。
【発明を実施するための最良の形態】
【００１４】
以下、本発明の光ファイバケーブルについての説明を行う。  
なお、以下の実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。  
また、実施例を説明するための全図において、同一の要素には同一の符号を付し、これに関する反復説明は省略する。
【実施例１】
【００１５】
図１は、本発明の第１の実施例（実施例１）に係る光ファイバケーブル１ａの構成を示す図であり、図２は、光ファイバケーブル１ａの斜視図である。  
図１及び図２に示すとおり、光ファイバケーブル１ａは、スロットロッド（ケーブル本体）２と、不織布３と、ケーブルシース４と、テンションメンバ５と、光ファイバ素線８と、保護管１１ａからなる。
【００１６】
テンションメンバ５は、光ファイバケーブル１ａの断面中心部に配置されている。
【００１７】
スロットロッド２は、テンションメンバ５を包周し、その側面には５本のスロット６が設けられている。
【００１８】
本実施例におけるスロット６のそれぞれには直径が０．２５ｍｍの光ファイバ素線８が２０本収容されており、スロットロッド２全体では計１００本の光ファイバ素線８が収容されている。
【００１９】
また、このスロット６は、スロットロッド２の側面上で螺旋を描くように配置されている。
【００２０】
光ファイバ素線８は、所定本数（本実施例においては４本）が並列配置され、その先端部が樹脂９により一体化されることによりテープ状となっている。なお、このように先端部が一体化された複数本の光ファイバ素線８を“先端一体型素線１０”と呼称する。
【００２１】
光ファイバケーブル１ａにおいては、全ての光ファイバ素線８が先端一体型素線１０となっており、スロット６のそれぞれには５本の先端一体型素線１０がテンションメンバ５側からスロットロッド２の外周面側に向けて積層された状態で収容され、スロットロッド２全体では計２５本の先端一体型素線１０が収容されている。
【００２２】
また、スロットロッド２には、３本のトレース７が設けられている。このトレース７は、スロット６と同様にスロットロッド２の側面上で螺旋を描くように配置されており、先端一体型素線１０をスロット６から取り出す際の目印となる。
【００２３】
不織布３は、帯状であり、先端一体型素線１０を収容したスロットロッド２の側面全体を被覆している。これにより先端一体型素線１０がスロット６内で固定される。
【００２４】
なお、図１においては、その他の部材の説明を容易にするため、不織布３の一部が除去されている場合を示している。
【００２５】
ケーブルシース４は、不織布３の一部を被覆している。より具体的には、不織布３のスロットロッド２の端面側の一部が露出するように不織布３の他の部分を被覆している。
【００２６】
図２に示す保護管１１ａは、スロットロッド２や先端一体型素線１０等を風雨から保護するためのものであり、スロットロッド２の端面、先端一体型素線１０の端面、不織布３の露出部分及びケーブルシース４の一部（端部）を被覆している。
【００２７】
上記のとおり、光ファイバケーブル１ａにおいては、光ファイバ素線８が予め並列配置されているとともに先端部が一体化されているため、接続時等における作業性に優れ、光ファイバ素線８を誤認することも防止できる。
【００２８】
また、光ファイバケーブル１ａは、既存の光ファイバケーブルに加工処理を施すことでも製造可能である。以下、この製造方法の詳細について説明する。
【００２９】
なお、ここでいう既存の光ファイバケーブルとは、スロット６に収容されている光ファイバ素線８が樹脂により一体化されておらず、また、ケーブルシース４が不織布３の全体を被覆しているものを指す。
【００３０】
光ファイバケーブル１ａを製造するにあたっては、まず図３（ａ）に示すように、ケーブルシース４の一部と不織布３の一部を除去し、スロット６から光ファイバ素線８を取り出す。
【００３１】
次に、樹脂９により光ファイバ素線８の先端部を一体化し、この先端一体型素線１０をスロット６に再び収容し、図３（ｂ）に示すように、不織布３によりスロットロッド２の側面全体を再び被覆する。なお、樹脂９による光ファイバ素線８先端部の一体化の詳細については後述する。
【００３２】
次に、図３（ｃ）に示すように、不織布３の露出部分とケーブルシース４の端部に保護管１１ａを被せる。
【００３３】
上記の製造方法は、前記のとおり既存の光ファイバケーブルを加工する方法であるが、既存の光ファイバケーブルを用いずに新たに光ファイバケーブル１ａを製造することも可能である。
【００３４】
次に、光ファイバ素線８先端部の一体化の詳細について説明する。
図４（ａ）に示すように、スロット６から取り出された光ファイバ素線８を所定本数（本実施例においては４本）並列配置し、図４（ｂ）に示すように、樹脂９により先端部を被覆する。
【実施例２】
【００３５】
図５は、本発明の第２の実施例（実施例２）に係る光ファイバケーブル１ｂの構成を示す図であり、図６は、光ファイバケーブル１ｂの斜視図である。  
この光ファイバケーブル１ｂは、上記の光ファイバケーブル１ａに変更を加えたものである。
【００３６】
前述のとおり、光ファイバケーブル１ａにおいては、ケーブルシース４が不織布３の一部を被覆しているが、本実施例の光ファイバケーブル１ｂにおいては、ケーブルシース４が不織布３の全体を被覆している。
【００３７】
また、光ファイバケーブル１ａにおいては、保護管１１ａがスロットロッド２の端面、先端一体型素線１０の端面、不織布３の露出部分及びケーブルシース４の一部（端部）を被覆しているが、光ファイバケーブル１ｂにおいては、ケーブルシース４が不織布３の全体を被覆しているため、図６に示すように、保護管１１ｂがスロットロッド２の端面、先端一体型素線１０の端面及びケーブルシース４の一部（先端部）を被覆している。
【００３８】
なお、図５においては、その他の部材の説明を容易にするため、不織布３及びケーブルシース４の一部が除去されている場合を示している。
【００３９】
光ファイバケーブル１ａと光ファイバケーブル１ｂの差異は上記の点のみであり、その他の部材の機能・構成等に差異はなく、スロット６のそれぞれには５本の先端一体型素線１０がテンションメンバ５側からスロットロッド２の外周面側に向けて積層された状態で収容され、スロットロッド２全体では計２５本の先端一体型素線１０が収容されている。
【００４０】
以上のとおり、光ファイバケーブル１ｂにおいては、光ファイバケーブル１ａと同様に、光ファイバ素線８が予め並列配置されているとともに先端部が一体化されているため、接続時等における作業性に優れ、光ファイバ素線８を誤認することも防止できる。
【００４１】
次に、光ファイバケーブル１ｂの製造方法について説明する。
まず、上記の先端一体型素線１０を用意し、図７（ａ）に示すように、スロット６に先端一体型素線１０を収容する。
【００４２】
次に、図７（ｂ）に示すように、不織布３によりスロットロッド２の側面全体を被覆する。
【００４３】
次に、図７（ｃ）に示すように、ケーブルシース４により不織布３の全体を被覆する。
【００４４】
次に、図７（ｄ）に示すように、ケーブルシース４の先端部に保護管１１ｂを被せる。
【００４５】
なお、上記の全ての実施例においては、一体化される光ファイバ素線８の本数、スロット６に収容される先端一体型素線１０の本数等はスロット６の本数、寸法等を変更することにより任意に変更可能である。
【００４６】
また、上記の全ての実施例においては、スロット６に直径が０．２５ｍｍの光ファイバ素線８が収容されている場合を示したが、これに限定されず、図４（ｃ）に示す直径０．５ｍｍの光ファイバ心線１３を収容することもできる。この場合、先端部のオーバーコート層１２を除去することにより光ファイバ素線８を露出させ、その後に図４（ａ）及び図４（ｂ）に示した方法により先端部が一体化される。
【００４７】
また、上記の全ての実施例においては、光ファイバ素線８の先端部を一体化するにあたって樹脂を用いる場合を示したが、これに代えて接着剤等を用いることもできる。
【００４８】
また、上記の全ての実施例においては、光ファイバ素線８の先端部を一体化する場合を示したが、光ファイバ素線８の他の一部分もしくは全ての部分を一体化することもできる。
【図面の簡単な説明】
【００４９】
【図１】本発明の第１の実施例に係る光ファイバケーブルの構成を示す図である。
【図２】図１の光ファイバケーブルの斜視図である。
【図３】図１の光ファイバケーブルの製造方法を説明するための図である。
【図４】図１の先端一体型素線の製造方法を説明するための図である。
【図５】本発明の第２の実施例に係る光ファイバケーブルの構成を示す図である。
【図６】図５の光ファイバケーブルの斜視図である。
【図７】図５の光ファイバケーブルの製造方法を説明するための図である。
【符号の説明】
【００５０】
１ａ、１ｂ    光ファイバケーブル
２    スロットロッド
３    不織布
４    ケーブルシース
５    テンションメンバ
６    スロット
７    トレース
８    光ファイバ素線
９    樹脂
１０    先端一体型素線
１１ａ、１１ｂ    保護管
１２    オーバーコート層
１３    光ファイバ心線
【図１】
2005345909.tif 000003
【図２】
2005345909.tif 000004
【図３】
2005345909.tif 000005
【図４】
2005345909.tif 000006
【図５】
2005345909.tif 000007
【図６】
2005345909.tif 000008
【図７】
2005345909.tif 000009